(57)【要約】【課題】  プロジェクタのレンズキャップ（レンズ保護部材）の開閉動作に、プロジェクタをオン・オフさせるためのスイッチ機能を兼用させたプロジェクタを提供する。【解決手段】  プロジェクタ１００は、ハウジングの正面に取り付けられた投影レンズ２８を保護可能なレンズ保護部材１２０と、レンズ保護部材１２０に応答してプロジェクタをオンまたはオフさせるメインスイッチ１３０とを含んでいる。レンズ保護部材１２０は、スライド可能であり、レンズ保護部材１２０が開いた位置にあるとき、メインスイッチ１３０はオンし、閉じた位置にあるとき、メインスイッチ１３０はオフする。【選択図】    図２
2006201646.tif 000002
【特許請求の範囲】
【請求項１】
光源と、
光源からの光を変調する変調手段と、
変調された光を投影する投影レンズと、
投影レンズを保護可能なレンズ保護部材と、
レンズ保護部材の位置に応答してオン状態またはオフ状態の切り替えを行うスイッチ手段と、
を有するプロジェクタ。
【請求項２】
レンズ保護部材が第１の位置にあるとき、レンズ保護部材によって投影レンズが保護されている状態にあり、レンズ保護部材が第２の位置にあるとき、レンズ保護部材から露出された投影レンズが光を投影可能な状態にあり、前記スイッチ手段は、保護部材が第２の位置にあることに応答してオン状態に切り替える、請求項１に記載のプロジェクタ。
【請求項３】
レンズ保護部材は、投影レンズに回転可能に取り付けられ、回転動作によって第１の位置または第２の位置に移動される、請求項２に記載のプロジェクタ。
【請求項４】
レンズ保護部材は、投影レンズに対してスライド可能に取り付けられ、スライド動作によって第１の位置または第２の位置に移動される、請求項２に記載のプロジェクタ。
【請求項５】
オフ状態は、プロジェクタの内部回路の動作が実質的に停止される状態を含む、請求項１に記載のプロジェクタ。
【請求項６】
オフ状態は、プロジェクタの内部回路への電源供給が停止された状態を含む、請求項１に記載のプロジェクタ。
【請求項７】
スイッチ手段は、プロジェクタのメインスイッチである、請求項１ないし６いずれか１つに記載のプロジェクタ。
【請求項８】
プロジェクタは、ハウジング内に光源、変調手段および投影レンズを保持し、ハウジングの正面より露出された投影レンズをレンズ保護部材により保護する、請求項１に記載のプロジェクタ。
【発明の詳細な説明】
【技術分野】
【０００１】
本発明は、テレビやＤＶＤなどの映像を投影することができる前面投射型または背面投射型のプロジェクタに関し、特にプロジェクタの投影レンズの保護に関する。
【０００２】
空間変調素子として液晶やＤＭＤ（Digital Micro-mirror Device）を用い、カラー画像を表示するプロジェクタが実用化されている。プロジェクタは、空間変調素子によって変調された光をスクリーン上に拡大して表示させるための投影レンズを備えている。投影レンズは、プロジェクタのハウジングから露出されており、使用していない時には、レンズキャップなどにより投影レンズを保護している。その一方で、レンズキャップをつけたまま、投影レンズから光を投影させてしまうと、レンズキャップが熱によって変形したり、その熱によってプロジェクタ内部の光学機器や電子機器が悪影響を受けてしまうため、プロジェクタの使用時には、必ずレンズキャップを投影レンズから取り外す必要がある。
【０００３】
特許文献１は、投射レンズの保護に加えて、投射レンズからの投射光を遮断する一方で、投射側にいる取扱者または説明者に漏れ光を生じさせて、投射光の有無を判別することができる投射レンズ用キャップを提供している。具体的には、レンズキャップの外周面を半透明面にするか、その外周面に孔を形成するものである。
【０００４】
特許文献２は、プロジェクタのレンズキャップの取り忘れを防止する技術に関する。レンズキャップは、キャップ本体と、光学手段とを備え、キャップ本体は、ポリカーボネートで形成され、その中心に透光部が形成されている。透光部には、光学手段が装着され、光学手段は、レンズ手段と表示手段とを備えており、レンズキャップを付けたままでプロジェクタを作動させると、表示手段の文字がスクリーンに拡大して投影され、レンズキャップの外し忘れを認識することができる。
【０００５】
特許文献３は、レンズキャップの着脱を検出し、装着時は光源用ランプ用のランプ電源が投入できないようにしてレンズキャップの変形を防止するものである。このプロジェクタでは、投射レンズ近傍に、投射レンズを保護するレンズキャップの装着を検出するレンズキャップ検出器を設けると共に、レンズキャップ検出器からの検出信号を入力して、ランプ電源を入り切りするランプ制御部を設け、レンズキャップが装着されているときはランプ電源を切断するよう制御する。これにより、誤ってレンズキャップを装着したまま電源を投入してもレンズキャップを溶かして変形させないようにしている。
【０００６】
特許文献４は、ランプ点灯中にレンズキャップが投射レンズに装着された場合に、ランプ電源を切断しなくともレンズキャップの変形防止を確実に行えるプロジェクタを提供する。このプロジェクタは、投射レンズを保護するためのレンズキャップの装着の有無を検知する検知部と、検知部からの信号によりレンズキャップが装着されていると判断したときに、ランプ１３からの光を遮光または減光するように液晶パネルを制御する投写表示制御部とを備えている。
【０００７】
特許文献５は、画像を投射するための光の経路がキャップで遮断されている場合は、ランプに供給する電力を低下させることで、使用に支障を生じることなく、ランプ用電源における発熱を低下させることもできるプロジェクタを提供するものである。
【０００８】
【特許文献１】特開２００３−２８００９８号
【特許文献２】特開２００３−１４９７４２号
【特許文献３】特開２００２−１２２９４０号
【特許文献４】特開２００４−２４５９８６号
【特許文献５】特開平１０−２３９７６７号
【発明の開示】
【発明が解決しようとする課題】
【０００９】
上記した従来例では、レンズキャップの有無等を検出し、レンズキャップが装着されている状態では、ランプを消灯もしくは電力を低下させる技術を開示している。このようなプロジェクタでは、レンズキャップの開閉動作とプロジェクタのメインスイッチのオン・オフ動作が個別に行われるようになっているため、ユーザが、レンズキャップの装着に気づかないと、メインスイッチがオン状態になっているにもかかわらず、なぜ光源が点灯しないのか困惑してしまうことがある。さらに、特許文献３、４では、レンズキャップを検出するための検出器を別途必要とし、装置のコストが増加してしまう。
【００１０】
本発明は、上記した課題を解決するためになされたもので、プロジェクタのレンズ保護部材（レンズキャップなど)の開閉動作に、プロジェクタをオン・オフさせるスイッチ機能を兼用させたプロジェクタを提供することを目的とする。
【課題を解決するための手段】
【００１１】
本発明に係るプロジェクタは、光源と、光源からの光を変調する変調手段と、
変調された光を投影する投影レンズと、投影レンズを保護可能なレンズ保護部材と、レンズ保護部材の位置に応答してオン状態またはオフ状態の切り替えを行うスイッチ手段とを有するものである。
【００１２】
好ましくは、レンズ保護部材が第１の位置にあるとき、レンズ保護部材によって投影レンズが保護されている状態にあり、レンズ保護部材が第２の位置にあるとき、レンズ保護部材から露出された投影レンズが光を投影可能な状態にあり、スイッチ手段は、レンズ保護部材が第２の位置にあることに応答してオン状態に切り替える。
【００１３】
レンズ保護部材は、投影レンズに回転可能に取り付けられ、回転動作によって第１の位置または第２の位置に移動されるものでもよいし、投影レンズに対してスライド可能に取り付けられ、スライド動作によって第１の位置または第２の位置に移動されるものであってもよい。
【００１４】
好ましくは、スイッチ手段は、プロジェクタのメインスイッチであり、レンズ保護部材は、レンズキャップである。レンズ保護部材を手動にて第１または第２の位置へ開閉移動させることで、メインスイッチによるオン・オフが行われる。メインスイッチのオフは、例えばプロジェクタの内部回路（ランプ点灯回路など）の動作が実質的に停止される状態や、内部回路への電力供給が停止される状態を含む。
【発明の効果】
【００１５】
本発明のプロジェクタによれば、レンズ保護部材の位置に応答してオン状態またはオフ状態の切換を行うスイッチ手段を設けたので、レンズ保護部材の使用状態に連動させてオン状態またはオフ状態の切り替えを行うことができる。これにより、レンズ保護部材をとり忘れて投影レンズから光が投射されることが確実に防止される。また、レンズ保護部材とスイッチ手段とを連動させたことで、部品点数を増加させることなく、ユーザにとって使い勝手のよいプロジェクタを提供することができる。
【発明を実施するための最良の形態】
【００１６】
本発明に係るプロジェクタは、好ましくはＤＬＰ方式のプロジェクタにおいて用いられる。以下、図面を参照して詳細に説明する。
【実施例】
【００１７】
図１は、ＤＭＤを用いたプロジェクタの光学系を示す図である。同図において、１０は白色光源のアーク（発光点）、１２は集光ミラーとしての楕円ミラー、１４は輪帯部分が光の三原色（赤、緑、青、または赤、緑、青、白）に分割された回転可能なフィルタを含むカラーホイール装置、１６は光学部品であるライトトンネル、１８はコンデンサレンズ、２０は折り返しミラーとしての平面ミラー、２２は第２の折り返しミラーとしての球面ミラー、２４はＤＭＤ、２６はＤＭＤの前面に配される第２のコンデンサレンズ、２８は投影レンズである。
【００１８】
ＤＭＤ２４は、２次元的に配列した各ピクセルが微小なミラーから構成され、各ピクセルの直下に配置されたメモリ素子による静電界作用によって微小ミラーの傾きを制御し、反射光の反射角度を変化させることで、オン／オフ状態を作る反射形表示素子である。ピクセルがオフ状態では、ピクセルの微小ミラーによる反射光が投影レンズに入射せず、ピクセルがオン状態では、ピクセルの微小ミラーによる反射光が投影レンズに入射してスクリーンに画像を形成するように光学系部品が配置されている。なお、各ピクセルの微小ミラーのオン時の傾き角は、ＤＭＤの光線の入射面に対して１０から１２度程度と決められている。
【００１９】
光源１０からの光は、カラーフィルタ１４によって順次Ｒ、Ｇ、Ｂの光に分離され、それがＤＭＤ２４を照明する。ＤＭＤ２４によって反射されたオン状態の光が投影レンズ２８により拡大され、スクリーン上に映し出される。
【００２０】
図２は、プロジェクタの正面図である。プロジェクタ１００は、図１に示した光学系に加えて、電源および回路基板等を収容するハウジングを有する。ハウジングの正面１１０には、吸排用のスリット１１２が形成され、かつ、ハウジングから露出した投影レンズ２８を保護するためのレンズ保護部材１２０が取り付けられている。レンズ保護部材１２０は、板状の部材であって、正面１１０を水平方向にスライドすることができる。図２(ａ)に示すように、レンズ保護部材１２０が最も左側に位置するとき（開いた位置）、投影レンズ２８が露出され、投影レンズ２８から光を投影させることができる。レンズ保護部材１２０をスライドさせ、図２（ｂ）に示すように最も右側に位置させたとき（閉じた位置）、投影レンズ２８が覆われ、レンズの表面が保護された状態となる。
【００２１】
また、ハウジング内には、レンズ保護部材１２０の位置に応じてオン・オフ動作をするメインスイッチ１３０が取り付けられている。メインスイッチ１３０は、レンズ保護部材１２０と係合関係にあり、レンズ保護部材１２０の移動に応答して動作する機械式スイッチを用いることができる。レンズ保護部材１２０が図２(ａ)の開いた位置にあるとき、メインスイッチ１３０はオンし、レンズ保護部材１２０が図２（ｂ）の閉じた位置にあるとき、メインスイッチ１３０はオフする。
【００２２】
図３は、プロジェクタの電気的な構成を示すブロック図である。制御部７００は、例えばマイクロコンピュータから構成され、ＲＡＭ、ＲＯＭ等のメモリに格納されたプログラムによって所望の動作シーケンスを実行する。制御部７００には、メインスイッチ１３０が接続され、メインスイッチ１３０がオンしたとき、制御部７００が動作可能状態となる。制御部７００は、バス７１０を介してＤＭＤ駆動回路７２０、ランプ駆動回路７３０およびカラーホイール駆動回路７４０と接続され、これらを制御する信号を供給する。さらに制御部７００は、ＤＭＤ駆動回路７２０、ランプ駆動回路７３０およびカラーホイール駆動回路７４０を動作可能状態にするためのイネーブル信号ＥＮ１、ＥＮ２、ＥＮ３を供給する。
【００２３】
ＤＭＤ駆動回路７２０は、制御部７００によって生成されたＤＭＤフォーマットの画像データに応じてＤＭＤ２４を駆動する。ランプ駆動回路７３０は、ランプ１０の着火、消灯および点灯時の電力制御を行う。カラーホイール駆動回路７４０は、カラーホイール装置１４のモータの駆動を制御する。電源回路７５０は、制御部７００、ＤＭＤ駆動回路７２０、ランプ駆動回路７３０およびカラーホイール駆動回路７４０に対しラインＬ１、Ｌ２、Ｌ３、Ｌ４を介して所定の電力を供給する。
【００２４】
レンズ保護部材１２０が閉じた状態（図２(ｂ)の状態）にあるとき、メインスイッチ１３０は、オフすなわち制御部７００の回路が開いている。この状態では、制御部７００からのイネーブル信号ＥＮ１、ＥＮ２、ＥＮ３は、ローレベル（グランドレベル）であり、ＤＭＤ駆動回路７２０、ランプ駆動回路７３０およびカラーホイール駆動回路７４０は実質的に駆動されない。従って、プロジェクタは、オフした状態となり、投影レンズ２８からの光がレンズ保護部材１２０に投射されることはない。
【００２５】
一方、ユーザが手動によりレンズ保護部材１２０を開いた状態（図２(ａ)の状態）へスライドさせると、これに応答してメインスイッチ１３０がオンし、制御部７００の回路が閉じる。これにより、制御部７００からのイネーブル信号ＥＮ１、ＥＮ２、ＥＮ３がハイレベル（例えば５ボルト）となり、ＤＭＤ駆動回路７２０、ランプ駆動回路７３０、およびカラーホイール駆動回路７４０が駆動可能となり、制御部７００のシーケンスに従い動作される。投影レンズ２８から変調された光が投射されるとき、レンズ保護部材１２０は開いた位置にあり、レンズ保護部材１２０が光に照射されることはない。
【００２６】
このように本実施例によれば、レンズ保護部材１２０にメインスイッチ１３０のオン・オフ機能を持たせることで、レンズ保護部材１２０を開かない限りは、メインスイッチがオンしないため、レンズ保護部材の取り忘れなどによって、レンズ保護部材に光が照射されることはない。言い換えれば、レンズ保護装置１２０を開かない限り、投影レンズから光が照射されることはない。これにより、ユーザは、レンズ保護部材の開閉動作とプロジェクタのオン、オフ操作を同時に行うことができ、操作の効率化を図ることができる。
【００２７】
上記実施例では、レンズ保護部材をスライドさせるものを例示したが、レンズ保護部材を回転させるものであってもよい。例えば、レンズ保護部材は、投影レンズ２８を覆う円筒状のレンズキャップとし、レンズキャップを回転させることで、投影レンズを露出させ、またはカバーするものでもよい。例えば、図４に示すように、プロジェクタ１００の正面１１０に、投影レンズ２８を保護するためのレンズキャップ１４０を取り付けることができる。レンズキャップ１４０は、手動により回転可能であり、レンズキャップ１４０が開いた位置にあるとき、メインスイッチ１３０がオンし、閉じた位置にあるときメインスイッチ１３０がオフするようにする。
【００２８】
図５は、投影レンズを模式的に示した平面図と側面図である。投影レンズ２８には、投影に利用される領域（以下、投影利用領域という）３０と、投影に利用されない領域（以下、非投影利用領域という）３２が存在する。これは、ＤＭＤ２４からのオン状態の光が一定の角度を持って反射されることが原因である。投影利用領域３０は、投影レンズ２８の上側の半分以上を占め、ここに入射された投影光が拡大投影される。非投影利用領域３２は、投影レンズ２８の下側の半分以下であり、投影利用領域３０の面積よりも小さい。
【００２９】
非投影利用領域を利用したレンズキャップの構成を図６に示す。レンズキャップ２００は、円筒形状の第１の保護部材２１０と、第１の保護部材２１０に取り付けられる円筒形状の第２の保護部材３００と、第２の保護部材３００に取り付けられる可動部材４００とを有している。
【００３０】
第１の保護部材２１０は、所定の内径を有する外周部２２０と、外周部２２０の前面側に形成された第１の保護部２３０とを有している。第１の保護部２３０は、上述したように投影レンズ２８の非投影利用領域３２に対応するサイズおよび形状に設計される。ここでは、第１の保護部２３０は、直線的な境界２３２を有し、この境界２３２より下方において投影レンズ２８の非投影利用領域３２を覆い、境界２３２より上方において第１の露出部２４０を形成し、第１の露出部２４０により投影レンズ２８の投影利用領域３０を常時露出させるようにしている。
【００３１】
第１の保護部材２１０の裏面側は開放されており、この開放面から投影レンズ保持部材２５０が挿入される（図６（ｃ）を参照）。投影レンズ保持部材２５０は、第１の保護部材２１０の外周部２２０の内径と略等しいか、それよりも僅かに小さな外径の円筒状の外周部２５２を有している。これにより、第１の保護部材２１０は、投影レンズ保持部材２５０に固定的に嵌合される。また、外周部２５２の内側には投影レンズ２８が保持されており、投影レンズ２８の非投影利用領域３２が第１の保護部２３０と一致するように両者が位置決めされる。好ましくは、位置決めを容易にするため、両者に互いに係合する凹、凸などの係合部を設けるようにしてもよい。
【００３２】
第２の保護部材３００は、第１の保護部材２１０の外周部２２０を覆うような円筒状の外周部３１０を有している。外周部３１０の内側には、周方向に溝３１２が形成されている。溝３１２は、第１の保護部材２１０の外周部２２０の外周に沿って形成された突出部２２２と係合し、これにより第２の保護部材３００が第１の保護部材２１０上を摺動しながら回転できるようになっている。
【００３３】
第２の保護部材３００の前面側には、第２の保護部３２０と、矩形状の第２の露出部３３０が形成されている。第２の保護部材３００の回転中心をＣとするとき、第２の露出部３３０は、この中心Ｃを含む大きさであり、言い換えれば、投影レンズ２８の投影利用領域３０に対応する大きさとなっている。第２の保護部材３００の外周部３１０の一部は切り取られており、第２の露出部３３０が、その切り取られた部分に接続されている。第２の保護部３２０の裏面には、中心Ｃからオフセットした位置に突起部３２２が設けられている。突起部３２２は、後述する可動部材４００を支持するものである。
【００３４】
可動部材４００は、扇状の薄板部材からなる第３の保護部４１０と、第３の保護部４１０上に形成されたスリット状の支持穴４２０とを有する。第３の保護部４１０の水平方向の長さは、第２の保護部材３００の第２の露出部３３０の水平方向の長さよりも幾分長くなっている。また、第３の保護部４１０の底部は、第２の保護部材３００の外周部３１０と略等しい曲率となっている。可動部材４００の支持穴４２０には、第２の保護部材３００の突起部３２２が挿入され、これにより可動部材４００が第２の保護部材３００の裏面側に取り付けられる。
【００３５】
第２の保護部材３００が回転すると、中心Ｃからオフセットされた突起部３２２の位置が変化し、これに連動して可動部材４００の位置が変化する。第２の保護部材３００の第２の露出部３３０が最も上方に位置するとき、可動部材４００が最も下方に位置し、その底部が第２の保護部材３００に当接もしくは近接される。また、第２の露出部３３０が最も下方に位置するとき、突起部３２２が最も上方にあり、すなわち可動部材４００が最も上方に位置するようになる。可動部材４００が最も上方に位置するとき、図６（ｂ）、（ｃ）に示すように、可動部材の第３の保護部４１０が、第１の保護部２３０と第２の保護部３３０の隙間Ｓを塞いでいる。
【００３６】
図７は、レンズキャップを正面から見たときの第１の保護部材２１０、第２の保護部材３００および可動部材４００の位置関係を示している。ここでは、投影レンズの保護状態を分かり易くするため、各部材の前後関係を無視している。第１の保護部材２１０は、斜め方向のハッチング、第２の保護部材３００は、ハッチングなし、可動部材４００は垂直方向のハッチングで位置を示している。
【００３７】
図７(ａ)は、レンズキャップが閉じた位置、すなわち、メインスイッチ１３０がオフされた状態を示している。このとき、第１の保護部材２１０の第１の保護部２３０によって投影レンズ２８の非投影利用領域３２が覆われ、第１の露出部２４０によって投影レンズ２８の投影利用領域３０が露出されている。一方、第２の保護部材３００は、初期状態にあり、第２の保護部３２０が最も上方に位置している（第２の露出部３３０が最も下方に位置している）。第２の露出部３３０は、投影利用領域３０とほぼ同サイズであるため、投影レンズ２８の下半分以上の領域が露出されることになる。つまり、第１の露出部２４０と第２の露出部３３０との一部が重複する関係にあり、言い換えれば、第１の保護部２３０と第２の保護部３２０の間に隙間Ｓが生じ、投影レンズ２８の全面を覆うことができない。この重複する部分（隙間Ｓ）は、第２の保護部材３００によって上方に持ち上げられた可動部材４００の第３の保護部４１０によって覆われる。こうして、投影レンズ２８は、第１の保護部２３０、第２の保護部３２０、第３の保護部４１０によって完全に覆われ、保護されることになる。
【００３８】
図７（ｂ）は、第２の保護部材３００が時計方向に４５度回転した状態を示している。図７（ｃ）は、第２の保護部材３００が時計方向に９０度回転した状態を示している。徐々に第２の露出部３３０が現れてくる。図７(ｄ)は、第２の保護部材３００が１８０度回転した状態、つまり、第２の保護部材３００の第２の露出部３３０が最も上方に位置し、第２の露出部３３０と第１の露出部２４０とが一致し、投影レンズ２８の投影利用領域３０が完全に露出された状態になる。第２の露出部３４０が最も上方に位置するとき、突起部３２２が最も下方に位置するため、可動部材４００は、中心Ｃからオフセット量だけ下方に位置し、下部が第２の保護部材３００に当接もしくは近接する。このとき、メインスイッチ１３０はオンし、制御部７００は、イネーブル信号ＥＮ１、ＥＮ２、ＥＮ３をハイレベルとし、各部を動作させる。こうして、ＤＭＤ２４からの光は、露出された投影レンズ２８からスクリーン上に映し出される。
【００３９】
次に、メインスイッチを用いてプロジェクタをオフさせる他の態様について説明する。図８(ａ)に示すように、メインスイッチ１３０を電源回路７５０と内部回路８００との間に接続し、メインスイッチ１３０がオンしたときに、電源回路７５０からの電力を内部回路８００へ供給するようにしてもよい。メインスイッチ１３０がオフであるとき、内部回路８００には電源が供給されず内部回路８００の動作は行われない。なお内部回路８００は、図３に示す制御部８００、ＤＭＤ駆動回路７２０、ランプ駆動回路７３０およびカラーホイール駆動回路７４０を含むものである。
【００４０】
また図８(ｂ)に示すように、メインスイッチ１３０を電源回路７５０に接続し、メインスイッチ１３０がオンしたときに、電源回路７５０を動作させるようにしてもよい。メインスイッチ１３０がオフの間、内部回路８００には電源が供給されない。さらに、図８（ｃ）に示すように、メインスイッチ１３０を内部回路８００と接続し、メインスイッチ１３０がオンしたときに、内部回路８００が動作するようにしてもよい。この場合、内部回路８００のうち、例えばランプ駆動回路７３０のみを選択的にオン・オフ制御するようにしてもよい。
【００４１】
本発明の好ましい実施の形態について詳述したが、本発明は係る特定の実施形態に限定されるものではなく、特許請求の範囲に記載された本発明の要旨の範囲内において、種々の変形、変更が可能である。
【産業上の利用可能性】
【００４２】
本発明に係るレンズ保護部材もしくはレンズキャップは、ＤＭＤ、液晶あるいは他の変調素子を用いたプロジェクタなどの画像表示装置において利用することができる。
【図面の簡単な説明】
【００４３】
【図１】本発明の実施例に係るプロジェクタの光学系を示す図である。
【図２】本実施例のプロジェクタの正面図であり、図２(ａ)はレンズ保護部材の開いた状態を示し、図２(ｂ)はレンズ保護部材の閉じた状態を示している。
【図３】本実施例のプロジェクタの電気的な構成を示すブロック図である。
【図４】他の実施例のプロジェクタの外観を示す斜視図である。
【図５】投影レンズを説明する図である。
【図６】他の実施例のレンズキャップの構成を示す図である。
【図７】レンズキャップの動作を説明する図である。
【図８】メインスイッチを用いた他のオン・オフの例を示す図である。
【符号の説明】
【００４４】
１０：ランプ
２４：ＤＭＤ
２８：投影レンズ
１００：プロジェクタ
１１０：正面
１２０：レンズ保護部材
１３０：メインスイッチ
２００：レンズキャップ
【図１】
2006201646.tif 000003
【図２】
2006201646.tif 000004
【図３】
2006201646.tif 000005
【図４】
2006201646.tif 000006
【図５】
2006201646.tif 000007
【図６】
2006201646.tif 000008
【図７】
2006201646.tif 000009
【図８】
2006201646.tif 000010